(57)【要約】      （修正有）【課題】生花輸送用容器の固定部材のための基材及び組立作業が一切不要で、資材、組立コストの削減化及び組立作業性に優れた生花輸送用箱を提供する。【解決手段】生花に保水用水を供給し得る生花輸送用容器に収容された生花を該容器ごと梱包するのに使用される直方体状の生花輸送用箱において、それぞれ折目線を介して連設された、右側面板２、背面板３、左側面板、及び正面板５と、右側面板２の下方に折目線を介して連設された第１底面板と、この第１底面板から背面板３の下方位置に折目線を介して延設された支持板と、この支持板の先端縁に折目線を介し連設された容器固定板８と、左側面板の下方に折目線を介して連設された第２底面板と、背面板３から右側面板２に跨って設けられた容器固定板押え部９と、を備えている。【選択図】図２
0003170459.tif 000002
【実用新案登録請求の範囲】
【請求項１】
輸送時や保管時でも生花に保水用水を供給し得る生花輸送用容器に収容された生花を該容器ごと梱包するのに使用される直方体状の生花輸送用箱において、
それぞれ折目線を介して連設された、右側面板、背面板、左側面板、及び正面板と、
前記右側面板又は前記左側面板の下方に折目線を介して連設された第１底面板と、
この第１底面板から前記背面板の下方位置に折目線を介して延設された支持板と、
この支持板の先端縁に折目線を介し連設された容器固定板と、
前記左側面板又は前記右側面板の下方に折目線を介して連設された第２底面板と、
前記背面板から前記右側面板若しくは前記左側面板に跨って設けられた容器固定板押え部と、
を備えたことを特徴とする生花輸送用箱。
【請求項２】
請求項１に記載の生花輸送用箱において、
前記正面板と前記左側面板とに跨って設けられ、前記生花輸送用容器の上面と係合する容器押え部をさらに備えたことを特徴とする生花輸送用箱。
【考案の詳細な説明】
【技術分野】
【０００１】
本考案は、輸送時や保管時でも生花に保水用水を供給し得る生花輸送用容器に収容された生花を該容器ごと梱包するのに使用される生花輸送用箱に関するものである。
【背景技術】
【０００２】
生花は、生産者から花市場（競り市）、フラワーショップに至るまでの間、花の鮮度が落ちないよう保水手段を講じておかなければならない。生花は出荷及び輸送の際、ダンボールで作成された生花輸送用箱に箱詰されるが、このとき講じられる保水手段は、生花輸送用箱を横倒しにしても水漏れせずかつ生花を傷めないものである必要がある。
【０００３】
そこで、現在では、生花輸送用箱を横倒しにしても水漏れしないよう、例えば特許文献１に開示されているような生花輸送用容器が多用されている。このような生花輸送用容器を用いた場合、輸送中に生花輸送用容器が箱内で移動することで生花が傷んでしまうことがないよう、生花輸送用箱が横倒しにされたとき、箱の底面に生花輸送用容器を固定しておく必要がある。その一例を図９及び図１０に示す。
【０００４】
これらの図に示す従来の生花輸送用箱３００では、箱本体の基材と同じ基材から折り曲げ成された角筒状の固定部材３１０の差込片３１０ａを、生花輸送用箱３００の底板から折り上げられた折り上げ片（図外）と背面板３００ａとの間に差し込むことにより、この固定部材３１０の下面と生花輸送用箱３００の底板との間で生花輸送用容器２００を挟持、固定していた。
【先行技術文献】
【特許文献】
【０００５】
【特許文献１】特許第３７５４６６４号公報
【考案の概要】
【考案が解決しようとする課題】
【０００６】
しかしながら上記従来の技術では、生花輸送用箱３００本体の基材及び組立作業とは別に、固定部材３１０のための基材及び組立作業が必要であることから、コスト及び組立の手間がかかるといった問題があった。
【０００７】
本考案は、上記問題点に鑑み、従来の固定部材のための基材及び組立作業が一切不要で、資材、組立コストの削減化及び組立作業性に優れた生花輸送用箱を提供することを目的とする。
【課題を解決するための手段】
【０００８】
上記課題を解決するために、本考案に係る生花輸送用箱は、輸送時や保管時でも生花に保水用水を供給し得る生花輸送用容器に収容された生花を該容器ごと梱包するのに使用される直方体状の生花輸送用箱において、それぞれ折目線を介して連設された、右側面板、背面板、左側面板、及び正面板と、前記右側面板又は前記左側面板の下方に折目線を介して連設された第１底面板と、この第１底面板から前記背面板の下方位置に折目線を介して延設された支持板と、この支持板の先端縁に折目線を介し連設された容器固定板と、前記左側面板又は前記右側面板の下方に折目線を介して連設された第２底面板と、前記背面板から前記右側面板若しくは前記左側面板に跨って設けられた容器固定板押え部と、を備えたことを特徴とする。
【０００９】
この特定事項により、生花輸送用容器の固定部のための基材を、生花輸送用箱の基材とは別途に用意する必要がなく、しかも生花輸送用箱それ自体を組み立てるだけで、生花輸送用容器の固定部も形成される。
【００１０】
上記生花輸送用箱において、正面板と左側面板とに跨って設けられ、生花輸送用容器の上面と係合する容器押え部をさらに備えていてもよい。
【００１１】
この場合、生花輸送用容器をよりしっかりと生花輸送用箱内に固定することができる。
【考案の効果】
【００１２】
本考案の生花輸送用箱は、生花輸送用容器の固定部のための基材が不要となるため、生花輸送用容器の固定部を備える生花輸送用箱の製造の手間やコストを低減することができる。
【図面の簡単な説明】
【００１３】
【図１】本考案に係る生花輸送用箱の一実施形態における展開図である。
【図２】図１に示す生花輸送用箱の斜視図である。
【図３】本考案に係る生花輸送用箱の変形例１の展開図である。
【図４】本考案に係る生花輸送用箱の変形例２の展開図である。
【図５】図１に示す生花輸送用箱の組立て途中を示す部分斜視図である。
【図６】図５の次の組立工程を示す部分斜視図である。
【図７】図６の次の組立工程を示す部分斜視図である。
【図８】図７に引き続く組立て完成図である。
【図９】従来の生花輸送用箱の斜視図である。
【図１０】従来の生花輸送用箱の固定部材を示す斜視図である。
【考案を実施するための形態】
【００１４】
以下に、本考案の一実施の形態について、図を参照して説明する。
【００１５】
はじめに、生花輸送用箱（以下、箱と略す）１の展開図である図１を用いて、箱１の構成について説明する。
【００１６】
箱１は、図１に示すように、それぞれ折目線を介して連設された、右側面板２、背面板３、左側面板４、及び正面板５と、右側面板２の下方に折目線を介して連設された第１底面板６と、この第１底面板６から背面板３の下方位置に折目線を介して延設された支持板７と、この支持板７の先端縁に折目線を介し連設された容器固定板８と、左側面板４の下方に折目線を介して連設された第２底面板１０と、背面板３から右側面板２に跨って設けられた容器固定板押え部９と、右側面板２、背面板３、左側面板４、及び正面板５の各上方にそれぞれ折目線を介して連設されたフラップ１３と、正面板５と左側面板４とに跨って設けられ、生花輸送用容器２００の上面と係合する容器押え部１４とを備えている。
【００１７】
右側面板２、背面板３、左側面板４、及び正面板５は、それぞれ箱１の４つの周面を構成する。なお、競り市において箱１内部の生花を見せ易くするうえで、左右側面板２、４の横幅（奥行き）より正面板３及び背面板５の横幅（幅）を大きくするのが好ましい。
【００１８】
右側面板２には、背面板３とは反対側に、折目線を介してフラップ２３が連設されている。この折目線には、差込孔２１と差込孔２２とが設けられている。
【００１９】
背面板３の下端縁は、左右側面板２、４の下端縁の位置より僅かに上方に位置するよう、背面板３の縦寸法は左右側面板２、４のそれより僅かに短く設定されている。
【００２０】
正面板５には水平方向にミシン目５５が形成されており、これによって、正面板５は上部扉５１と下部扉５２とに分割されている。上部扉５１には差込舌片５３が、下部扉５２には差込舌片５４が、それぞれ左側面板４とは反対側に折目線を介して連設されており、それぞれ右側面板２とフラップ２３との境界に設けた上記の差込孔２１、差込孔２２にそれぞれ対応している。
【００２１】
第１底面板６は、箱１の底板としての機能と支持板７を箱１の底部に定着する機能とを有する。第１底面板６は、右側面板２の下方に折目線を介して連設されている。この第１底面板６の幅寸法（図１において左右方向の寸法）は右側面板２のそれよりも僅かに短く設定されており、これによって、組立時に支持板７が背面板３に重なるように図られている。
【００２２】
支持板７は、容器固定板８を支持する機能を有する。支持板７は、第１底面板６から背面板３の下方位置に折目線を介して延設されている。この支持板７の長さ（図１において左右方向の寸法）は、生花輸送用容器２００の高さ寸法と略同じに設定されている。また、支持板７の幅寸法（図１において上下方向の寸法）は、背面板３の横幅より僅かに短く設定されており、これによって、背面板３の下端縁と支持板７の上端縁との間に間隙が設けられ、組立時に支持板７が背面板３に重なるように図られている。支持板７の第１底面板６と間の折目線に沿って一対の差込孔７１が設けられている。これら差込孔７１には、後述する突出部１２１が組立時に挿入される。
【００２３】
容器固定板８は、生花輸送用容器２００の上方への動きを阻止する機能、すなわち箱１の底面に生花輸送用容器２００を押えて固定する機能を有する。容器固定板８は、支持板７の先端縁に折目線を介して連設されている。容器固定板８の幅寸法（図１において上下方向の寸法）は、支持板７のそれと同一である。この容器固定板８の長さ（図１において左右方向の寸法）は、生花輸送用容器２００に挿入された生花と当接しない範囲内であって、生花輸送用容器２００を押えて固定するのに足る長さとされる。
【００２４】
容器固定板押え部９は、容器固定板８の上方への動きを阻止する機能を有する。容器固定板押え部９は、背面板３から右側面板２とに跨って設けられた同じ長さの水平な二本の切込線で構成されており、組立時にこの容器固定板押え部９を箱１の内方に突出させることによって容器固定板８の上面と係合し、容器固定板８を上方から固定することが可能となる。
【００２５】
第２底面板１０は、組立時に第１底面板６の下面側に位置し、箱１の底板としての機能を有する。第２底面板１０は、左側面板４の下方に折目線を介して連設されている。第２底面板１０の幅寸法（図１において左右方向の寸法）は、背面板３のそれと同一の長さに設定されている。
【００２６】
折返板１１は、箱１の底部の強度を高める機能を有する。折返板１１は、背面板３の下方において前記容器固定板８と対峙するよう第２底面板１０に折目線を介して連設されている。この折返板１１は、背面板３の下方において、支持板７と容器固定板８とを設けた残余のスペースに設けられるため、折返板１１の長さ（図１において左右方向の寸法）は、背面板３の横幅から支持板７と容器固定板８の各長さ寸法の合計寸法を引いた長さになる。
【００２７】
第３底面板１２は、箱１の底板としての機能を有する。第３底面板１２は、正面板５の下方位置に、第２底面板１０に２本の折目線を介して連設されている。これら２本の折目線の間隔は、組立時に第１底面板６を第２底面板１０と第３底面板との間で抱持することができる程度の寸法に設定されている。この第３底面板１２には、上記折返板１１とは反対側に一対の突出部１２１が突設されており、これら突出部１２１は、第１底面板６側に設けられた差込孔７１と対応している。
【００２８】
フラップ１３は、天板としての機能を有する。フラップ１３は、右側面板２、背面板３、左側面板４、及び正面板５それぞれの上方に折目線を介して連設されている。各フラップ１３の上端縁はそれぞれ半円状に切り欠かれており、組立時、天板に円形の開口部が形成されるよう図られている。この開口部は、保管時や輸送時に箱１内の生花を確認するのに利用される。なお、フラップ１３の形態はこのようなものに限られず、例えば図３に示すように、完全に閉じた天板を構成するものであってもよい。
【００２９】
容器押え部１４は、生花輸送用容器２００の上方への動きを阻止する機能を有する。容器押え部１４は、正面板５と左側面板４とに跨る同じ長さの水平な二本の切込線で構成されている。これら切込線は、下方の線が背面板４の下端から生花輸送用容器２００の高さ寸法に対応する位置に設けられている。組立時、この容器押え部１４を箱１の内方に押し入れることで、生花輸送用容器２００の上面と係合し、生花輸送用容器２００の上方への動きを阻止することとなる。なお、この容器押え部１４は省くことができる。
【００３０】
上記の実施形態では、支持板７と容器固定板８を第１底面板６から延設しているが、これに限らず、図４に示すように、第２底面板１０から延設してもよい。また、第１底面板６と第２底面板１０とを接着剤で接着するのであれば、第３底面板１２を省くことができる。なお、図中、符合１５は取手用孔を、１６は通気孔をそれぞれ示す。
【００３１】
次に、上記実施の形態に係る箱１の組立手順について、図５乃至図８を参照して説明する。
【００３２】
図１の状態から、第１底面板６と支持板７の境界の折目線を谷に、第２底面板１０と折返板１１の境界を折目線を谷に折るとともに、右側面板２と第１底面板６の境界の折目線を谷に、左側面板４と第２底面板１０の境界の折目線を谷に折る。これにより、箱１は図５に示すような状態となる。
【００３３】
図５の状態から、背面板３と左側面板４の境界の折目線を谷に折る。これにより、箱１は図６に示すような状態となる。
【００３４】
図６の状態から、容器固定板８と支持板７の境界の折目線を谷に折ってから、右側面板２と背面板３の境界の折目線を谷に折る。次に、第３底面板１２と第２底面板１０との間の２本の折目線をそれぞれ谷に折り、第３底面板１２の突出部１２１を支持板７側の差込孔７１に差し込む。これにより、箱１の底面は、上から第３底面板１２、第１底面板６、第２底面板１０の順にこれら３つの底面板が重なった状態になっている。次に、フラップ２３と右側面板の境界の折目線を山に折る。これにより、箱１は図７に示すような状態となる。
【００３５】
図７の状態から、左側面板４と正面板５の境界の折目線を谷に折る。そして、差込舌片５３、５４を差込孔２１、２２にそれぞれ差し込み、フラップ１３をそれぞれ折り畳むことにより箱１が完成する（図８参照）。
【００３６】
このようにして組み立てられた箱１の正面板５を開き、生花を入れた生花輸送用容器２００を第３底面板１２上に載置する。次に、生花輸送用容器２００の奥側の上面に容器固定板８を当接させ、容器固定板押え部９を箱１の内側に押し入れて容器固定板８を容器固定板押え部９で上から押える。また、容器押え部１４を箱１の内側に押し入れ生花輸送用容器２００の手前側の上面を容器押え部１４で直接押える。
【００３７】
以上説明したように、生花輸送用容器２００を箱１内に固定するための部材である容器固定板８は、箱１の基材中に含まれ、しかも箱１の組立中に形成される。したがって、従来の生花輸送用箱とは異なり、生花輸送用容器を固定するための部材を別途用意したり、組み立てたりする必要はない。
【符号の説明】
【００３８】
１      生花輸送用箱
２      右側面板
３      背面板
４      左側面板
５      正面板
６      第１底面板
７      支持板
８      容器固定板
９      押え部
１０    第２底面板
１１    折返し板
１２    第３底面板
１４    容器押え部
２００  生花輸送用容器
【図１】
0003170459.tif 000003
【図２】
0003170459.tif 000004
【図３】
0003170459.tif 000005
【図４】
0003170459.tif 000006
【図５】
0003170459.tif 000007
【図６】
0003170459.tif 000008
【図７】
0003170459.tif 000009
【図８】
0003170459.tif 000010
【図９】
0003170459.tif 000011
【図１０】
0003170459.tif 000012